(57)【要約】【課題】広い輝度調整範囲において、均一な輝度で発光する光源装置および光源装置の調整方法を提供する。【解決手段】実施形態に係る光源装置は、第１発光素子と、前記第１発光素子に直列に接続され、入力された信号に応じて立ち上がり、下降する電流を出力する第１電流源と、前記第１発光素子と前記第１電流源とを電気的に接続する第１配線と、前記第１配線から絶縁され、前記第１配線と異なる電位を有する直流が供給され得る第２配線と、前記第１配線に隣接し、前記第２配線と対向して設けられて静電容量を有する複数の第１電極部と、を備える。【選択図】図１
2020087921.tif 000002
【特許請求の範囲】
【請求項１】
第１発光素子と、
前記第１発光素子に直列に接続され、入力された信号に応じて立ち上がり、下降する電流を出力する第１電流源と、
前記第１発光素子と前記第１電流源とを電気的に接続する第１配線と、
前記第１配線から絶縁され、前記第１配線と異なる電位を有する直流が供給され得る第２配線と、
前記第１配線に隣接し、前記第２配線と対向して設けられて静電容量を有する複数の第１電極部と、
を備えた光源装置。
【請求項２】
前記複数の第１電極部は、前記第１電流源から出力される電流の立ち上がり時間および下降時間があらかじめ設定した範囲となるように、前記第１配線と前記複数の第１電極部との間の電気的な接続を、それぞれ選択的に切断されまたは接続された請求項１記載の光源装置。
【請求項３】
前記第１配線と前記複数の第１電極部との間にそれぞれ設けられた導電性の第１ブリッジ部をさらに備え、
前記第１ブリッジ部は、前記第１配線および前記複数の第１電極部のうちの対応する第１電極部の少なくとも一方に接続された請求項１記載の光源装置。
【請求項４】
絶縁性の基板をさらに備え、
前記第２配線は、前記第１電極部が設けられた前記基板の面とは異なる面または前記基板の内層に設けられ、
前記複数の第１電極部のそれぞれの前記第２配線と対向する面積は、同一である請求項１〜３のいずれか１つに記載の光源装置。
【請求項５】
絶縁性の基板をさらに備え、
前記第２配線は、前記第１電極部が設けられた前記基板の面とは異なる面または前記基板の内層に設けられ、
前記複数の第１電極部のそれぞれの前記第２配線と対向する面積は、互いに異なる請求項１〜３のいずれか１つに記載の光源装置。
【請求項６】
第３配線と、
前記第１配線と前記第３配線との間に設けられた導電性の第２ブリッジ部と、
をさらに備え、
前記第１ブリッジ部は、前記第３配線と前記第１電極部との間に設けられ、
前記第１ブリッジ部は、前記第３配線および前記第１電極部の少なくとも一方に接続され、
前記第２ブリッジ部は、前記第１配線および前記第３配線の少なくとも一方に接続された請求項３記載の光源装置。
【請求項７】
前記第１ブリッジ部は、前記第１電流源から出力される電流の立ち上がり時間および下降時間があらかじめ設定した範囲となるように、前記第１配線と前記複数の第１電極部との間の電気的な接続を、それぞれ選択的に切断されまたは接続された請求項３記載の光源装置。
【請求項８】
第２発光素子と、
前記第２発光素子に直列に接続され、前記信号に応じて立ち上がり、下降する電流を出力する第２電流源と、
前記第２発光素子と前記第２電流源とを電気的に接続する第４配線と、
前記第２配線と対向して設けられて静電容量を有する第２電極部と、
前記第４配線と前記第２電極部との間に設けられた導電性の第３ブリッジ部と、
をさらに備え、
前記第１ブリッジ部および前記第３ブリッジ部は、
前記第１電流源の出力する電流の立ち上がり時間および下降時間が前記第２電流源の出力する電流の立ち上がり時間および下降時間にそれぞれ一致するように、前記第１配線と前記第１電極部との間の電気的な接続、および、前記第１配線と前記第２電極部との間の電気的な接続を、それぞれ選択的に切断されまたは接続された請求項３記載の光源装置。
【請求項９】
前記第１配線と前記複数の第１電極部のうちの１つの第１電極部との間に設けられた導電性の第４ブリッジ部と、
前記複数の第１電極部のうち隣接して配置された２つの第１電極部の間に設けられた導電性の第５ブリッジ部と、
をさらに備え、
前記第４ブリッジ部は、前記第１配線および前記複数の第１電極部のうちの対応する第１電極部の少なくとも一方に接続され、
前記第５ブリッジ部は、前記２つの第１電極部の少なくとも一方に接続された請求項１〜８のいずれか１つに記載の光源装置。
【請求項１０】
前記１つの第１電極部は、
複数の第１部分と、
前記複数の第１部分のうち隣接する２つの第１部分の間に設けられた第６ブリッジ部と、
を含み、
前記複数の第１電極部のうち前記１つの第１電極部に隣接する他の１つの第１電極部は、
複数の第２部分と、
前記複数の第２部分のうち隣接する２つの第２部分の間に設けられた第７ブリッジ部と、
を含み、
前記第５ブリッジ部は、前記複数の第１部分のうちの１つの第１部分と、前記複数の第２部分のうちの１つの第２部分との間に設けられ、
前記１つの第１部分および前記１つの第２部分は、隣接して設けられた請求項９記載の光源装置。
【請求項１１】
前記複数の第１電極部のうちの１つの第１電極部は、
複数の第３部分と、
前記複数の第３部分のうちの隣接する第３部分の間に設けられた第８ブリッジ部と、
を含み、
前記複数の第１電極部のうちの他の１つの第１電極部は、
複数の第４部分と、
前記複数の第４部分のうちの隣接する第３部分の間に設けられた第９ブリッジ部と、
を含む請求項１記載の光源装置。
【請求項１２】
前記複数の第３部分のうちの１つの第３部分は、前記複数の第３部分のうちの１つの第３部分と異なる面積を有する請求項１１記載の光源装置。
【請求項１３】
第１発光素子と、
前記第１発光素子に直列に接続され、入力された信号に応じて立ち上がり、下降する電流を出力する第１電流源と、
前記第１発光素子と前記第１電流源とを電気的に接続する第１配線と、
前記第１配線から絶縁され、前記第１配線と異なる電位を有する直流が供給され得る第２配線と、
前記第２配線に隣接し、前記第１配線と対向して設けられて静電容量を有する複数の第１電極部と、
を備えた光源装置。
【請求項１４】
第１発光素子と、
前記第１発光素子に直列に接続され、入力された信号に応じて立ち上がり、下降する電流を出力する第１電流源と、
前記第１発光素子と前記第１電流源とを電気的に接続する第１配線と、
前記第１配線から電気的に絶縁され、前記第１配線と異なる電位を有する直流が供給され得る第２配線と、
前記第１配線に隣接し、前記第２配線と対向して設けられて静電容量を有する第１電極部と、
を備えた光源装置。
【請求項１５】
前記第１配線と前記第１電極部との間に設けられた導電性の第１ブリッジ部をさらに備え、
前記第１ブリッジ部は、前記第１配線および前記第１電極部の少なくとも一方に接続された請求項１４記載の光源装置。
【請求項１６】
発光素子と、
前記発光素子に直列に接続され、入力された信号に応じて立ち上がり、下降する電流を出力する電流源と、
前記発光素子と前記電流源とを電気的に接続する第１配線と、
前記第１配線から絶縁され、前記第１配線の電位と異なる電位を有する直流が供給され得る第２配線と、
前記第２配線と対向して設けられて静電容量を有する電極部と、
を含む光源装置の調整方法であって、
前記第１配線と前記電極部との間の接続を切断し、
前記電流源から出力される電流の立ち上がり時間および下降時間をあらかじめ設定した範囲に調整する光源装置の調整方法。
【発明の詳細な説明】
【技術分野】
【０００１】
本発明の実施形態は、光源装置および光源装置の調整方法に関する。
【背景技術】
【０００２】
発光素子として発光ダイオード(Light Emitting Diode、ＬＥＤ)を用いた表示デバイスが作成されている。装置の低消費電力化の要求や、ＬＥＤの輝度の向上により、ＬＥＤを用いた発光モジュールの採用が拡大している。
【０００３】
低消費電力を維持しつつ表示画像の高精細化を図るために、発光モジュールの輝度調整が行われることがある。表示デバイスの大画面化が進展し、均一な輝度と広範囲な輝度調整を行う必要性が高まっている。
【先行技術文献】
【特許文献】
【０００４】
【特許文献１】特開２０１１−１５４９１０号公報
【発明の概要】
【発明が解決しようとする課題】
【０００５】
本発明の一実施形態は、広い輝度調整範囲において、均一な輝度で発光する光源装置および光源装置の調整方法を提供する。
【課題を解決するための手段】
【０００６】
本発明の一実施形態に係る光源装置は、第１発光素子と、前記第１発光素子に直列に接続され、入力された信号に応じて立ち上がり、下降する電流を出力する第１電流源と、前記第１発光素子と前記第１電流源とを電気的に接続する第１配線と、前記第１配線から絶縁され、前記第１配線と異なる電位を有する直流が供給され得る第２配線と、前記第１配線に隣接し、前記第２配線と対向して設けられて静電容量を有する複数の第１電極部と、を備える。
【０００７】
本発明の一実施形態に係る光源装置は、第１発光素子と、前記第１発光素子に直列に接続され、入力された信号に応じて立ち上がり、下降する電流を出力する第１電流源と、前記第１発光素子と前記第１電流源とを電気的に接続する第１配線と、前記第１配線から絶縁され、前記第１配線と異なる電位を有する直流が供給され得る第２配線と、前記第２配線に隣接し、前記第１配線と対向して設けられて静電容量を有する複数の第１電極部と、を備える。
【０００８】
本発明の一実施形態に係る光源装置は、第１発光素子と、前記第１発光素子に直列に接続され、入力された信号に応じて立ち上がり、下降する電流を出力する第１電流源と、前記第１発光素子と前記第１電流源とを電気的に接続する第１配線と、前記第１配線から電気的に絶縁され、前記第１配線と異なる電位を有する直流が供給され得る第２配線と、前記第１配線に隣接し、前記第２配線と対向して設けられて静電容量を有する第１電極部と、を備える。
【０００９】
本発明の一実施形態に係る光源装置の調整方法は、発光素子と、前記発光素子に直列に接続され、入力された信号に応じて立ち上がり、下降する電流を出力する電流源と、前記発光素子と前記電流源とを電気的に接続する第１配線と、前記第１配線から絶縁され、前記第１配線の電位と異なる電位を有する直流が供給され得る第２配線と、前記第２配線と対向して設けられて静電容量を有する電極部と、を含む光源装置の調整方法である。この光源装置の調整方法は、前記第１配線と前記電極部との間の接続を切断し、前記電流源から出力される電流の立ち上がり時間および下降時間をあらかじめ設定した範囲に調整する。
【発明の効果】
【００１０】
本発明の一実施形態では、広い輝度調整範囲で、均一な輝度で発光する光源装置および光源装置の調整方法が実現される。
【図面の簡単な説明】
【００１１】
【図１】第１の実施形態に係る発光モジュールを例示する模式的なブロック図である。
【図２Ａ】第１の実施形態の発光モジュールの動作を説明するための模式的なブロック図である。
【図２Ｂ】図２Ａの等価回路例である。
【図３】第１の実施形態の発光モジュールの動作を説明するための模式的なタイミングチャートの例である。
【図４】第１の実施形態の発光モジュールの調整方法を説明するためのフローチャートの例である。
【図５Ａ】第１の実施形態の発光モジュールの一部を例示する模式図である。
【図５Ｂ】第１の実施形態の発光モジュールの一部を例示する模式図である。
【図５Ｃ】第１の実施形態の発光モジュールの一部を例示する模式図である。
【図５Ｄ】第１の実施形態の発光モジュールの一部を例示する模式図である。
【図６Ａ】第１の実施形態の変形例の発光モジュールの一部を例示する模式図である。
【図６Ｂ】第１の実施形態の変形例の発光モジュールの一部を例示する模式図である。
【図６Ｃ】第１の実施形態の変形例の発光モジュールの一部を例示する模式図である。
【図７Ａ】第１の実施形態の変形例の発光モジュールの一部を例示する模式図である。
【図７Ｂ】第１の実施形態の変形例の発光モジュールの一部を例示する模式図である。
【図７Ｃ】第１の実施形態の変形例の発光モジュールの一部を例示する模式図である。
【図８】第２の実施形態に係る発光モジュールの一部を例示する模式的なブロック図である。
【図９】第３の実施形態に係る発光モジュールの一部を例示する模式的なブロック図である。
【図１０】第４の実施形態に係る発光モジュールの一部を例示する模式的なブロック図である。
【図１１Ａ】図１０のブロック図の一部を拡大して例示する模式図である。
【図１１Ｂ】図１０のブロック図の一部を拡大して例示する模式図である。
【図１１Ｃ】図１０のブロック図の一部を拡大して例示する模式図である。
【図１２】図１０のブロック図の等価回路例である。
【図１３Ａ】第５の実施形態に係る発光モジュールの一部を例示する模式的なブロック図である。
【図１３Ｂ】図１３Ａのブロック図の一部を拡大して例示する模式図である。
【図１４】図１３Ａのブロック図の等価回路例である。
【図１５Ａ】第６の実施形態の発光モジュールの一部を例示する模式的なブロック図である。
【図１５Ｂ】図１５Ａの等価回路例である。
【発明を実施するための形態】
【００１２】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１３】
（第１の実施形態）
図１は、本実施形態に係る発光モジュールを例示する模式的なブロック図である。
図１に示すように、本実施形態の発光モジュール（光源装置）１は、基板１０上に設けられる。基板１０は、絶縁性の基板であり、好ましくは少なくとも両面に配線やランドの導体パターンを有する。発光モジュール１は、端子１１〜１３を含む。端子１１，１２間には、直流電圧が印加される。端子１１は、端子１２よりも高い電位に設定される。端子１２は、たとえば接地電位に接続される。端子１１には、直列に接続された発光素子および駆動回路に電力を供給できる程度の電位に設定される。
【００１４】
端子１３には、発光モジュール１の発光の輝度を調整し、設定するための輝度設定信号が入力される。輝度設定信号は、たとえばＰＷＭ信号である。ＰＷＭ信号は、ハイレベルおよびローレベルを有する方形波信号である。ＰＷＭ信号は、１周期に対するハイレベルの時間の割り合いにもとづいて、発光モジュール１の輝度を設定する。ＰＷＭ信号である輝度設定信号は、端子１３，１２間に供給される。
【００１５】
発光モジュール１は、発光回路２０と、駆動回路５０と、配線１０１〜１０３と、接地パターン４０と、電極部３０と、を備える。発光回路２０および駆動回路５０は、配線（第１配線）１０３，１０６および抵抗器６０によって直列に接続されている。発光回路２０および駆動回路５０の直列回路は、端子１１，１２間に接続されている。
【００１６】
抵抗器６０は、後述する調整方法にしたがって電流値等の測定終了後には、他の導体に置き換えられ、または他の導体により短絡されてもよい。
【００１７】
発光回路２０は、１つまたは複数の発光素子２２を含む。発光素子２２のアノード端子はランド２３ａに接続され、カソード端子はランド２３ｂに接続されている。この例では、発光回路２０は、複数の発光素子２２を含んでおり、複数の発光素子２２は、それぞれランド２３ａ，２３ｂ間に接続され、配線１０２を介して直列に接続されている。発光回路２０には、発光素子２２を複数個並列接続してもよい。発光回路２０に設けられる発光素子２２の数は、発光モジュール１が搭載される画像表示装置の画面サイズ等にもとづいて適切に決定される。
【００１８】
発光回路２０の高電位側、すなわち発光素子２２のアノード端子は、配線１０１の一端に接続されており、配線１０１の他端は、端子１１の接続されている配線１００に接続されている。
【００１９】
発光回路２０の低電位側、すなわち発光素子２２のカソード端子は、配線１０３の一端に接続されている。配線１０３の他端は、抵抗器６０の一端が接続されているランド６１ａに接続されている。抵抗器の他端が接続されているランド６１ｂは、配線１０６の一端に接続されており、配線１０６の他端は、駆動回路５０の出力端子５１に接続されている。
【００２０】
駆動回路５０の入力端子５２は、配線１０５を介して、端子１３に接続されている。駆動回路５０は、入力端子５２から入力される輝度設定信号に応じて立ち上がり、下降する電流を出力する電流源回路（第１電流源）５４を含む。電流源回路５４は、出力端子５１を介して、外部信号に応じて、電流を出力する。
【００２１】
発光回路２０は、配線１０３を介して、電流源回路５４に直列に接続されているので、発光素子２２は、電流源回路５４が出力する輝度設定信号に応じた電流で駆動され、点灯する。
【００２２】
電極部３０は、配線１０３に隣接して設けられている。電極部３０は、ブリッジ部３２を介して配線１０３に選択的に接続されている。ブリッジ部３２は、導電性の部材で形成されている。この図の例では、４つの電極部３０が配線１０３に沿って設けられ、ブリッジ部３２によってそれぞれ配線１０３に接続されている。
【００２３】
本実施形態では、４つの電極部３０は、すべてほぼ同じ形状を有し、ほぼ同じ面積を有する。この例では、各電極部３０の形状は、長方形であり、配線１０３の延伸する方向に沿う短辺および配線１０３の延伸する方向に直交する方向に沿う長辺を有する。
【００２４】
電極部３０の数や、形状は、立ち上がり時間および下降時間の調整範囲等に応じて、適切なものを任意に設定することができる。電極部３０の数は、１つ〜３つでもいいし、５つ以上でもよい。形状については、長方形に限らず正方形、六角形、八角形、円形等であってもよい。
【００２５】
後に説明するように、発光モジュール１の輝度の調整のため、電極部３０と配線１０３との間の電気的な接続は、選択的に切断されている場合がある。電極部３０と配線１０３との電気的な接続が切断されている場合には、ブリッジ部３２は、電極部３０側または配線１０３側の少なくとも一方に接続されている。ブリッジ部３２が電極部３０側および配線１０３側の双方に接続されている場合には、ブリッジ部３２は、途中の部分が分断されている。
【００２６】
接地パターン（第２配線）４０は、基板１０上の電極部３０とは異なる面に設けられている。接地パターン４０は、少なくともすべての電極部３０と基板１０を挟んで対向する位置に設けられている。接地パターン４０は、電極部３０に対向していればよいので、この例のような形状に限らず、全面接地、いわゆるグランドプレーンを用いてもよい。また、接地パターン４０は、電極部３０と絶縁物を介して対向して設けられていればよいので、多層基板を用いる場合には、接地パターン４０は、電極部３０が設けられた層とは異なる層に設けられてもよい。接地パターン４０は、電極部３０と異なる面に限らず、電極部３０と同じ面で十分近接して設けられたパターンであってもよい。
【００２７】
この例では、接地パターン４０は、端子１２に接続され接地電位としているが、電極部３０が接続される配線１０３の電位と異なる電位であればよい。接地パターン４０は、発光素子２２および電流源回路５４の動作に顕著に影響をおよぼさなければ、他の電位、たとえば接地電位よりも低い電位や接地電位よりも高い電位等に接続されてもよい。
【００２８】
電極部３０は、接地パターン４０および基板１０とともに、接地パターン４０との対向面積、絶縁物による離間距離および絶縁物の誘電率に応じた静電容量値を有する容量素子を構成する。電極部３０、接地パターン４０および基板１０による容量素子は、ブリッジ部３２によって、配線１０３に選択的に接続されており、ブリッジ部３２によって配線１０３から選択的に切り離されている。
【００２９】
電極部３０、接地パターン４０および基板１０による容量素子は、その静電容量値によって、発光素子２２に流れる電流の立ち上がり時間および下降時間を設定する。配線１０３に接続されている容量素子が多く、静電容量値が大きいほど、発光素子２２に流れる電流の立ち上がり時間および下降時間は、遅くなる。配線１０３に接続されている容量素子を、配線１０３から切り離すごとに、発光素子２２に流れる電流の立ち上がり時間および下降時間は速く設定される。
【００３０】
発光回路２０および電流源回路５４の直列回路は、複数設けられている。複数の直列回路は、配線１００，１０４間に並列に接続されている。端子１１，１２間に直流電圧が供給され、端子１３，１２間に輝度設定信号が供給されると、各発光回路２０は、輝度設定信号によって設定されている輝度で発光する。
【００３１】
本実施形態の発光モジュール１の動作について説明する。
図２Ａは、本実施形態の発光モジュールの動作を説明するための模式的なブロック図である。図２Ｂは、図２Ａの等価回路である。
図２Ａは、図１のブロック図の一部を示しており、１つの電流源回路５４で駆動される発光素子２２について示されている。
【００３２】
図２Ａに示すように、この例では、４つの電極部３０−１〜３０−４は、それぞれ長方形状を有しており、すべてほぼ同じ形状を有している。したがって、４つの電極部３０−１〜３０−４は、すべてほぼ同じ面積を有している。
【００３３】
電極部３０−１〜３０−３は、ブリッジ部３２−１〜３２−３を介して配線１０３にそれぞれ接続されている。一方、電極部３０−４および配線１０３は、それぞれブリッジ部３２−４を有しているが、ブリッジ部３２−４は物理的に切り離されている。したがって、電極部３０−４は、配線１０３とは電気的に分離されている。
【００３４】
図２Ｂに示すように、電極部３０−１〜３０−４は、基板１０および接地パターン４０とともに、容量素子Ｃ１〜Ｃ４を構成する。この例では、すべての電極部３０−１〜３０−４の面積がほぼ同じなので、容量素子Ｃ１〜Ｃ４の静電容量値はほぼ等しい。
【００３５】
この例では、容量素子Ｃ１〜Ｃ３は、ブリッジ部Ｂ１〜Ｂ３によって、発光素子ＬＥＤおよび電流源回路Ｉ０を接続する配線に接続されている。一方、容量素子Ｃ４のブリッジ部Ｂ４は開放されているので、容量素子Ｃ４は、ＬＥＤおよび電流源回路Ｉ０を接続する配線から分離されている。
【００３６】
なお、抵抗器Ｒｓは、発光素子ＬＥＤに流れる電流を検出するためのものである。検出精度を考慮した上で、抵抗器は、十分小さい抵抗値を有する抵抗器が選定される。抵抗器は、発光素子に流れる電流の立ち上がり時間および下降時間を調整する工程において使用されるものである。たとえば抵抗器６０の接続されているランド６１ａ，６１ｂは、波形観測用の測定器の測定端子を接続することができる。抵抗器６０は、調整工程の終了後には、たとえばランド６１ａ，６１ｂから取り外して、短絡用の導体と置き換えられたり、抵抗器６０を取り外さずに、ランド６１ａ，６１ｂ間をジャンパ配線で抵抗器６０の両端を接続したりする等の処理が施される。抵抗器６０は、十分低い抵抗値に設定した場合には、両端短絡等せずに、そのまま接続された状態としてもかまわない。
【００３７】
図３は、本実施形態の発光モジュールの動作を説明するための模式的なタイミングチャートの例である。
図３には、２つの異なる発光回路２０に流れる電流の波形の時間変化が示されている。一方の発光回路２０の電流波形は実線で示され、他方の発光回路２０の電流波形は破線で示されている。
【００３８】
図３に示すように、実線の電流波形では、時刻ｔ０で電流が流れ始め、時刻ｔ１で一定の電流値Ｉ０１に達している。その後、時刻ｔ３において電流の下降が開始し、時刻ｔ４において電流値がほぼゼロになる。電流がゼロの期間が継続した後、時刻ｔ１０において電流が流れ始め、上述と同様に、時刻ｔ１１で電流が一定値となり、時刻ｔ１３で下降を開始し、時刻ｔ１４で電流がゼロになる。
【００３９】
一方、破線の電流波形では、時刻ｔ０で電流が流れ始め、時刻ｔ２で定電流値Ｉ０１に達している。その後、時刻ｔ３において電流の下降が開始し、時刻ｔ５において電流値がゼロになる。電流がゼロの期間が継続した後、時刻ｔ１０において電流が流れ始め、上述と同様に、時刻ｔ１２で電流が一定値となり、時刻ｔ１３で下降を開始し、時刻ｔ１５で電流がゼロになる。
【００４０】
時刻ｔ２，ｔ１２は、時刻ｔ１，ｔ１１よりも遅い時刻であり、破線の電流波形では、立ち上がり時間が実線の電流波形の場合よりも遅くなっている。
【００４１】
時刻ｔ５，ｔ１５は、時刻ｔ４，ｔ１４よりも遅い時刻であり、破線の電流波形では、下降時間が実線の電流波形の場合よりも遅くなっている。
【００４２】
駆動回路５０に入力され、電流源回路５４には、輝度設定信号としてＰＷＭ信号が入力される。ＰＷＭ信号は、ハイレベルおよびローレベルを有する方形波である。この例では、ハイレベルの期間は時刻ｔ０からｔ３までであり、ローレベルの期間は時刻ｔ３からｔ１０までである。
【００４３】
電流源回路５４から出力される電流波形が方形波の場合には、ＰＷＭ信号による平均電流値Ｉａｖは、ハイレベルの期間Ｔｏｎの電流値Ｉ０１を、周期（Ｔｏｎ＋Ｔｏｆｆ）で除して求めることができる。つまり、平均値Ｉａｖは以下の式（１）で求められる。
【００４４】
Ｉａｖ＝Ｉ０１×｛Ｔｏｎ／（Ｔｏｎ＋Ｔｏｆｆ）｝        （１）
ここで、Ｔｏｎは方形波がハイレベルの期間、Ｔｏｆｆは方形波がローレベルの期間である。
【００４５】
実際には、電流源回路５４が出力する電流波形は、有限の立ち上がり時間および下降時間を有している。立ち上がり時間および下降時間が十分速い場合には、平均電流Ｉａｖは、式（１）によってほぼ正確に求められる。しかし、実際の平均電流Ｉａｖ’は、立ち上がり時間および下降時間を含めて電流の流れている期間を周期で除したもの、つまり、電流値の時間変化の時間積分を周期で除したものとなる。したがって、同一のＰＷＭ信号を供給した場合であっても、立ち上がり時間および下降時間が異なる場合には、実際の平均電流Ｉａｖ’も相違し、そのため、発光素子２２の輝度も相違する。
【００４６】
Ｔｏｎに対する立ち上がり時間および下降時間の比率が小さい場合には、実際の平均電流Ｉａｖ’のＩａｖからのずれは小さいが、この比率が大きくなるにつれて平均電流のずれ、すなわち輝度の設定がＰＷＭ信号の設定からずれてくる。つまり、ＰＷＭ信号の輝度設定が高い場合には、立ち上がり時間および下降時間のばらつきが目立たない場合であっても、輝度を小さくするにつれて、立ち上がり時間および下降時間のばらつきが顕著になることがある。
【００４７】
発光素子２２に流れる電流の立ち上がり時間および下降時間のばらつきは、電流源回路５４自体の特性のばらつきや、回路の布線インピーダンスの相違等に起因する。したがって、基板１０上に回路を搭載した初期の状態において、回路ごとに立ち上がり時間および下降時間に相違が生じ、平均電流および発光素子２２の輝度にばらつきを生じ得る。
【００４８】
立ち上がり時間および下降時間が電流源回路５４を含む直列回路ごとにばらついた場合には、電流源回路５４で駆動される発光素子２２の間で輝度の差が生じてしまい、輝度むらとなって見える場合がある。
【００４９】
本実施形態の発光モジュール１では、複数設けられた電極部３０を順次配線１０３から切り離すことによって、発光素子２２に流れる電流立ち上がり時間および下降時間が、調整され、発光素子２２の間の輝度の差を抑制することで輝度むらを解消することができる。
【００５０】
図４は、本実施形態の発光モジュールの調整方法を説明するためのフローチャートの例である。
図４に示すように、ステップＳ１において、抵抗器６０の両端の電圧を検出して、発光素子２２に流れる電流を観測し、立ち上がり時間および下降時間を測定する。
【００５１】
ステップＳ２において、ステップＳ１で測定した立ち上がり時間および下降時間の測定値を、立ち上がり時間および下降時間の所定値と比較する。所定値は、たとえば、同一の基板１０上に図１のように回路構成して、あらかじめ立ち上がり時間および下降時間を実験的に取得し、統計的手法等により適切な値を設定する。
【００５２】
測定が所定値以下の場合には、処理を終了する。測定値が所定値よりも長い場合には、処理をステップＳ３に遷移させる。
【００５３】
ステップＳ３において、４つのうちのいずれか１つのブリッジ部３２を切断する。ブリッジ部３２の切断には、たとえばレーザ加工機を用いることができる。レーザ加工機に限らず、たとえば、作業者が手動でブリッジ部３２を切断してもよいし、金型等を用いて切断してもよい。
【００５４】
ステップＳ３でブリッジ部３２の切断が終了した後に、ステップＳ１に戻って上述の処理を繰り返す。４つのブリッジ部３２の切断の順序については、あらかじめ設定されている。たとえば、４つのブリッジ部３２のうち、発光素子２２に近い方から切断する。
【００５５】
上述では、立ち上がり時間および下降時間の測定値を所定値と比較することによって、ブリッジ部３２の切断の有無を判断する場合について説明した。本実施形態では、端子１１，１２間に並列に接続された発光素子２２間の輝度のばらつきが低減されれば、他の方法であってもかまわない。たとえば、電流源回路５４に接続されている発光素子２２ごとに、立ち上がり時間および下降時間を測定し、すべての発光素子２２の立ち上がり時間および下降時間がほぼ同じになるように、ブリッジ部３２の切断の有無を判断するようにしてもよい。
【００５６】
電流波形を直接観測して、立ち上がり時間および下降時間を調整することに限らず、発光モジュールを点灯させつつ、目視や発光面の画像データによる均一性評価にしたがって、ブリッジ部３２の切断の有無を判断するようにしてもよい。この場合には、輝度等の客観的データに限らず、人間の主観的な判断を介在させるようにしてもよい。
【００５７】
並列に接続されているすべての電流源回路５４について上述の調整方法を行うことが好ましいが、視覚による発光輝度の主観評価によって、輝度むらを生じている回路を選んで、その回路について上述の調整方法を行うようにしてもよい。
【００５８】
図５Ａ〜図５Ｄは、本実施形態の発光モジュールの一部を例示する模式図である。
図５Ａ〜図５Ｄには、電極部３０、ブリッジ部３２および配線１０３の関係が詳細に示されている。この例では、ブリッジ部３２は、配線１０３の延伸する方向に沿う長さ、すなわちブリッジ部３２の幅は、電極部３０の短辺の長さよりも短く設定されている。ブリッジ部３２の長さは、以下詳述するように、切断加工幅および切断位置精度の合計値にもとづいて設定されており、好ましくはこれらの合計値よりも長く設定されている。
【００５９】
図５Ａに示すように、電極部３０は、ブリッジ部３２を介して、配線１０３に物理的に接続されている。たとえば、電極部３０、ブリッジ部３２および配線１０３は、基板１０上に、同一の配線パターンとして形成されており、同一の電位を有し得る。この状態では、電極部３０、基板１０および接地パターン４０によって形成される容量素子は、ブリッジ部３２によって配線１０３に電気的に接続されている。
【００６０】
図５Ｂ〜図５Ｄに示すように、電極部３０、基板１０および接地パターン４０によって形成される容量素子が配線１０３から切り離されている場合には、電極部３０、ブリッジ部３２および配線１０３の間にいくつかの関係がある。
【００６１】
図５Ｂの例では、電極部３０および配線１０３の両方にブリッジ部３２がそれぞれ接続されている。電極部３０のブリッジ部と、配線１０３のブリッジ部３２との間には、間隙３４が存在する。間隙３４は、たとえば、レーザ加工機の切断加工幅である。
【００６２】
図５Ｃの例では、配線１０３にブリッジ部３２が接続されている一方、電極部３０には、ブリッジ部３２が接続されていない。配線１０３に接続するブリッジ部３２と電極部３０との間に間隙３４が存在する。
【００６３】
図５Ｄの例では、電極部３０にブリッジ部３２が接続されている一方、配線１０３には、ブリッジ部３２が接続されていない。電極部３０に接続するブリッジ部３２と配線１０３との間に間隙３４が存在する。
【００６４】
図５Ｂ〜図５Ｄの場合のように、ブリッジ部３２の切断時に切断位置の設定精度によって、異なる位置に間隙３４が形成される。このように、切断された箇所を表す間隙３４は、配線１０３と電極部３０との中間位置であったり、電極部３０寄りであったり、配線１０３寄りであったりすることがある。したがって、ブリッジ部３２の長さは、切断加工幅および切断位置精度にもとづいて設定される。好ましくは、ブリッジ部３２の長さは、切断加工幅および切断位置精度の合計値よりも長く設定される。
【００６５】
（変形例）
上述したように、ブリッジ部の幅は、切断のし易さ等を考慮して、短い方が好ましいが、任意の形状とすることができる。
図６Ａ〜図６Ｃは、本実施形態の変形例の発光モジュールの一部を例示する模式図である。
【００６６】
図６Ａに示すように、ブリッジ部３２ａは、長さ方向の中央部付近が端部よりも狭く、鼓状の形状を有するようにしてもよい。図６Ｂに示すように、２つのブリッジ部３２ｂを介して、電極部３０と配線１０３とを接続するようにしてもよい。ブリッジ部は、２つに限らず、３つでもそれ以上でもよい。図６Ｃに示すように、ブリッジ部３２ｃとして、電極部３０および配線１０３を切り離す領域を設けるようにしてもよい。
【００６７】
図７Ａ〜図７Ｃは、本実施形態の変形例の発光モジュールの一部を例示する模式図である。
図７Ａ〜図７Ｃには、ブリッジ部３２ｃの設定された位置がそれぞれ示されている。図７Ａは、ブリッジ部３２ｃのほぼ中央部を切断し、間隙３４を形成した場合を示している。間隙３４の幅がたとえばレーザ加工機による切断幅である。
【００６８】
図７Ｂは、ブリッジ部３２ｃのもっとも配線１０３寄りを切断し、間隙３４を形成した場合を示している。図７Ｃは、ブリッジ部３２ｃのもっとも電極部３０寄りを切断し、間隙３４を形成した場合を示している。
【００６９】
図７Ａ〜図７Ｃには、間隙３４の位置によって、切断位置の精度が合わせて示されている。位置ａが切断位置の目標設定位置である。位置ｂが切断位置の下限位置であり、位置ｃが切断位置の上限位置である。つまり、図７Ａ〜図７Ｃに示すように、ブリッジ部３２ｃは、切断加工幅および切断位置精度にもとづいて設定される。
【００７０】
本実施形態の発光モジュール１の効果について説明する。
本実施形態の発光モジュール１は、電極部３０を備えている。電極部３０は、発光素子２２および電流源回路５４を直列接続する配線１０３に隣接して設けられている。電極部３０は、絶縁物である基板１０を介して接地パターン４０に対向して設けられているので、電極部３０、基板１０および接地パターン４０は、静電容量値を有する容量素子を形成する。
【００７１】
電極部３０は、ブリッジ部３２によって選択的に、配線１０３と電気的に接続され、あるいは切り離される。そのため、発光素子に流れる電流は、立ち上がり時間および下降時間を調整されることができる。したがって、発光素子２２に流れる電流は、立ち上がり時間および下降時間を速くするように調整されるので、立ち上がり時間および下降時間を速くすることができる。
【００７２】
発光素子２２および電流源回路５４の複数の組において、それぞれの電流の立ち上がり時間および下降時間を所定値以下に調整することによって、輝度設定信号によって設定される輝度をすべての組でそろえることができる。したがって、組ごとの輝度のばらつきを抑制し、輝度むらを解消することができる。
【００７３】
近年のテレビ受像機やサイネージ用の画像表示装置等では、大画面化が進展しており、大画面に対応した発光モジュールが求められている。また、画像表示装置の高精細化や省エネルギ化の要求にともない、発光モジュールの輝度設定は、よりきめ細かく設定され、広い設定範囲において高品位な光源とする必要がある。このような大画面用の発光モジュールでは、多数の電流源回路を含む駆動回路によって、多数の発光素子に流れる電流を制御し、輝度を設定する必要がある。
【００７４】
発光素子を駆動する駆動回路では、駆動電流の設定値は、電流源回路ごとに一定値におさまるようにあらかじめ補正され、あるいは、外付けの抵抗器等で精密に設定される。
【００７５】
一方で、駆動回路は、発光素子から離間した位置に配置され、配線パターンによって電気的に接続される。配線パターンは、電流源回路ごとに異なる長さを有しているため、配線パターンにともなう浮遊容量や寄生インダクタンス等による布線インピーダンスを同一にすることは困難である。また、電流源回路自体の過渡特性も駆動回路の内部布線等により同一であることは保証されていない。
【００７６】
本実施形態では、発光素子および電流源回路５４を搭載する駆動回路を基板１０に配置した後に、発光素子および電流源回路５４に流れる電流の過渡特性を調整することができる。そのため、発光素子および電流源回路５４に流れる電流の立ち上がり時間および下降時間を調整して、所定の値に近い値にそろえることができるので、回路間の輝度をそろえることができる。
【００７７】
（第２の実施形態）
上述の実施形態では、電極部３０の形状および面積はすべてほぼ同じであり、電極部３０、基板１０および接地パターン４０によって形成される静電容量は、ほぼ等しい。電極部の形状および面積は任意とすることができる。本実施形態では、発光モジュールは、異なる面積を有する電極部を備えており、電極部、基板および接地パターンによって形成される静電容量値それぞれ異っている。
【００７８】
図８は、本実施形態に係る発光モジュールの一部を例示する模式的なブロック図である。
図８に示すように、電極部３０ａ−１〜３０ａ−４は、配線１０３に隣接して設けられている。接地パターン４０は、基板１０を介して、少なくとも電極部３０ａ−１〜３０ａ−４に対向するように設けられている。
【００７９】
電極部３０ａ−１〜３０ａ−４は、それぞれ異なる形状を有する。電極部３０ａ−１〜３０ａ−４は、異なる面積を有する長方形である。この図の中で、電極部３０ａ−１〜３０ａ−４では、配線１０３が延伸する方向に平行な辺は、すべて長さが異なっており、電極部３０ａ−１〜３０ａ−４の順に長さが短くされている。電極部３０ａ−１〜３０ａ−４では、配線１０３に直交する方向に平行な辺は、すべてほぼ同じ長さを有している。
【００８０】
電極部３０ａ−１〜３０ａ−４は、異なる寸法の長方形であることから、電極部３０ａ−１〜３０ａ−４、基板１０および接地パターン４０によって形成される静電容量値は、電極部３０ａ−１〜３０ａ−４の順で小さくなる。
【００８１】
ブリッジ部３２−１〜３２−４は、上述の他の実施形態の場合と同様に形成されており、発光素子２２に流れる電流の測定結果にもとづいて、順次切断される。ブリッジ部３２−１〜３２−４を切断することによって、電極部３０ａ−１〜３０ａ−４、基板１０および接地パターン４０によって形成される容量素子を、配線１０３から順次切り離すことができ、発光素子２２に流れる電流の立ち上がり時間および下降時間を調整することができる。
【００８２】
電極部３０ａ−１〜３０ａ−４のブリッジ部３２−１〜３２−４の切断の順序は、任意に設定できるが、いずれのブリッジ部３２−１〜３２−４を切断した場合に、立ち上がり時間および下降時間が変化するかをあらかじめ取得しておくことによって、測定した立ち上がり時間および下降時間に応じて、切断すべき、より適切なブリッジ部３２−１〜３２−４を選択することができる。
【００８３】
本実施形態の発光モジュールの効果について説明する。
本実施形態の発光モジュールでは、配線１０３に隣接して設けられた複数の電極部３０ａ−１〜３０ａ−４の面積が異なっているので、電極部３０ａ−１〜３０ａ−４、基板１０および接地パターン４０によって形成される静電容量値は、それぞれ相違する。発光素子２２に流れる電流の立ち上がり時間および下降時間が所定値よりも十分に遅い場合には、もっとも面積の大きい電極部３０ａ−１のブリッジ部３２−１を切断することによって、数度にわたって、電流測定およびブリッジ部の切断工程を繰り返す必要がなくなる。
【００８４】
電流の立ち上がり時間および下降時間が所定値よりも相対的に速い場合には、より面積の小さい電極部３０ａ−４のブリッジ部３２−４を切断することによって、より精度よく電流の立ち上がり時間および下降時間を設定することができる。
【００８５】
（第３の実施形態）
図９は、本実施形態に係る発光モジュールの一部を例示する模式的なブロック図である。
図９に示すように、電極部３０−１〜３０−４は、配線２０１に隣接して設けられている。電極部３０−１〜３０−４は、ブリッジ部３２−１〜３２−４を介して、配線２０１に接続されている。
【００８６】
配線２０１は、配線１０３に隣接して配置されている。配線２０１は、配線１０３に接続されている。この例では、配線２０１は、配線１０３の発光素子２２側の端部付近で接続されているが、発光素子２２と電流源回路５４との間で接続する配線であれば、いずれの場所で接続されているかは問わない。配線２０１が配線１０３に隣接して配置されていることによって、電極部３０−１〜３０−４も配線１０３に隣接して配置されている。
【００８７】
配線２０１は、ブリッジ部２０２を介して配線１０３に接続されている。配線２０１およびブリッジ部２０２のパターン幅は、配線１０３等と同じパターン幅であってもよいし、配線１０３のパターン幅よりも狭くてもよく、広くてもよい。ブリッジ部２０２の長さは、切断加工幅および切断位置精度にもとづいて設定される。
【００８８】
隣接して配置されるブリッジ部３２−１，３２−２が接続されている配線２０１の部分およびブリッジ部３２−２，３２−３が接続されている配線２０１の部分も切断されることによって、静電容量値の調整を行うことができる。そのため、このような配線２０１の部分の長さも、切断加工幅および切断位置精度にもとづいて設定されることが好ましい。
【００８９】
本実施形態の発光モジュールの動作について説明する。
本実施形態では、電極部３０−１〜３０−４に対応するブリッジ部３２−１〜３２−４を順次切断することによって、発光素子２２に流れる電流の立ち上がり時間および下降時間を調整することができる。
【００９０】
電流の立ち上がり時間および下降時間が十分に遅い場合には、ブリッジ部２０２を切断する。たとえば、ブリッジ部２０２を切断する場合の電流の立ち上がり時間および下降時間は、あらかじめ取得された値にもとづいて設定されている。
【００９１】
本実施形態の発光モジュールの効果について説明する。
本実施形態では、電極部３０−１〜３０−４は、配線１０３に隣接して設けられた配線２０１に隣接して設けられている。配線２０１は、ブリッジ部２０２によって配線１０３に接続されている。ブリッジ部２０２を切断することによって、電極部３０−１〜３０−４、基板１０および接地パターン４０で形成される容量素子のすべてを一度に配線１０３が遮断することができる。そのため、電流の立ち上がり時間および下降時間が十分に遅い場合には、電流の立ち上がり時間および下降時間の調整工程を短縮することができる。
【００９２】
また、本実施形態では、配線２０１の途中を切断して静電容量値の調整を行うこともできる。その場合には、電極部３０−１と３０−２との間の配線２０１を切断したり、電極部３０−２と３０−３との間の配線２０１を切断したりすることによって、切断工程の簡略化を図ることができる。
【００９３】
（第４の実施形態）
図１０は、本実施形態に係る発光モジュールの一部を例示する模式的なブロック図である。
本実施形態では、電極部の構成が上述した他の実施形態の場合と相違する。他の構成については、上述の他の実施形態の場合と同じにすることができる。以下での説明では、他の実施形態の場合と同一の構成要素には、同一の符号を付して詳細な説明を適宜省略する。
図１０に示すように、本実施形態の発光モジュールでは、複数の電極部４３０−１，４３０−２，４３０−３，３０−４は、配線１０３に隣接して設けられている。複数の電極部４３０−１，４３０−２，４３０−３、３０−４は、配線１０３に選択的に接続されている。配線１０３への電極部の選択的接続は、ブリッジ部によって行われる。
【００９４】
電極部４３０−１は、ブリッジ部３２−１を介して、選択的に配線１０３に接続されることができる。電極部４３０−２は、ブリッジ部３２−２を介して、選択的に配線１０３に接続されることができる。電極部４３０−３は、ブリッジ部３２−３を介して、選択的に配線１０３接続されることができる。電極部３０−４は、第１の実施形態の場合の電極部と同じであり、ブリッジ部３２−４を介して、選択的に配線１０３に接続されることができる。本実施形態では、ブリッジ部３２−１〜３２−４を選択的に切断することによって、電極部を配線１０３から切り離して、配線１０３に接続された電極部による静電容量値を小さくすることができる。
【００９５】
本実施形態では、電極部４３０−１，４３０−２，４３０−３は、複数の小電極部を含んでいる。この例では、電極部４３０−１，４３０−２，４３０−３のそれぞれにおいて、異なる数の小電極部を含んでいる。電極部当たりの小電極部の数は、この例に限らず、適切かつ任意に設定することができる。また、この例では、電極部３０−４は、単一の電極部からなっているが、複数の小電極部を含むようにしてもよい。
【００９６】
図１１Ａ〜図１１Ｃは、図１０のブロック図の一部を拡大して例示する模式図である。
図１１Ａに示すように、電極部４３０−１は、小電極部（複数の第３部分）４３０−１ａ〜４３０−１ｄと、小ブリッジ部（第８ブリッジ部）４３２−１ａ〜４３２−１ｃと、を含む。小電極部４３０−１ａ〜４３０−１ｄは、この例では、それぞれ同じ面積および同じ形状を有する長方形状の導体パターンである。
【００９７】
ブリッジ部（第４ブリッジ部）３２−１は、配線１０３と小電極部（１つの第１電極部）４３０−１ａとの間に設けられている。小電極部４３０−１ａは、ブリッジ部３２−１によって、配線１０３に選択的に接続されている。小ブリッジ部（第５ブリッジ部）４３２−１ａは、小電極部４３０−１ａ，４３０−１ｂの間に設けられている。小電極部４３０−１ｂは、小ブリッジ部４３２−１ａによって、小電極部４３０−１ａに選択に接続されている。小ブリッジ部４３２−１ｂは、小電極部４３０−１ｂ，４３０−１ｃの間に設けられている。小電極部４３０−ｃは、小ブリッジ部４３２−１ｂによって、小電極部４３０−１ｂに選択的に接続されている。小ブリッジ部４３２−１ｃは、小電極部４３０−１ｃ，４３０−１ｄの間に設けられている。小電極部４３０−１ｄは、小ブリッジ部４３２−１ｃによって、小電極部４３０−１ｃに選択的に接続されている。
【００９８】
図１１Ｂに示すように、電極部４３０−２は、小電極部（複数の第４部分）４３０−２ａ〜４３０−２ｃと、小ブリッジ部（第９ブリッジ部）４３２−２ａ，４３２−２ｂと、を含む。小電極部４３０−２ａ〜４３０−２ｃは、この例では、それぞれ同じ面積および同じ形状を有する長方形状の電極パターンである。
【００９９】
ブリッジ部３２−２は、配線１０３と小電極部４３０−２ａとの間に設けられている。小電極部４３０−２ａは、ブリッジ部３２−２によって、配線１０３に選択的に接続されている。小ブリッジ部４３２−２ａは、小電極部４３０−２ａ，４３０−２ｂの間に設けられている。小電極部４３０−２ｂは、小ブリッジ部４３２−２ａによって、小電極部４３０−２ａに選択に接続されている。小ブリッジ部４３２−２ｂは、小電極部４３０−２ｂ，４３０−２ｃの間に設けられている。小電極部４３０−２ｃは、小ブリッジ部４３２−２ｂによって、小電極部４３０−２ｂに選択的に接続されている。
【０１００】
図１１Ｃに示すように、電極部４３０−３は、小電極部４３０−３ａ，４３０−３ｂと、小ブリッジ部４３２−３ａと、を含む。小電極部４３０−３ａ，４３０−３ｂは、この例では、それぞれ同じ面積および同じ形状を有する長方形状の電極パターンである。
【０１０１】
ブリッジ部３２−３は、配線１０３と小電極部４３０−３ａとの間に設けられている。小電極部４３０−３ａは、ブリッジ部３２−３によって、配線１０３に選択的に接続されている。小ブリッジ部４３２−３ａは、小電極部４３０−３ａ，４３０−３ｂの間に設けられている。小電極部４３０−３ｂは、小ブリッジ部４３２−３ａによって、小電極部４３０−３ａに選択に接続されている。
【０１０２】
小ブリッジ部４３２−１ａ〜４３２−１ｃ，４３２−２ａ，４３２−２ｂ，４３２−３ａは、たとえば小電極部４３０−１ａ〜４３０−１ｄ，４３０−２ａ〜４３０−２ｃ，４３０−３ａ，４３０−３ｂ，３０−４等と同時に形成される配線パターンである。小ブリッジ部４３２−１ａ〜４３２−１ｃ，４３２−２ａ，４３２−２ｂ，４３０−３ａは、上述した他の実施形態の場合のブリッジ部３２−１〜３２−４と同様に、小電極部４３０−１ａ〜４３０−１ｄ，４３０−２ａ〜４３０−２ｃ，４３０−３ａ，４３０−３ｂに対してくびれた形状や太さの細い形状とすることによって、レーザ加工機等による切断時に容易に切断できる形状とされている。小ブリッジ部４３２−１ａ〜４３２−１ｃ，４３２−２ａ，４３２−２ｂ，４３０−３ａの長さも、ブリッジ部３２−１〜３２−４と同様に、レーザ加工機等の切断時の精度等に応じて決定される。
【０１０３】
小電極部４３０−１ａ〜４３０−１ｄ，４３０−２ａ〜４３０−２ｃ，４３０−３ａ，４３０−３ｂ，３０−４は、図１に示した基板１０の一方の面に設けられている。小ブリッジ部４３２−１ａ〜４３２−１ｃ，４３２−２ａ，４３２−２ｂ，４３２−３ａも基板１０の一方の面に設けられている。小電極部４３０−１ａ〜４３０−１ｄ，４３０−２ａ〜４３０−２ｃ，４３０−３ａ，４３０−３ｂ，３０−４および小ブリッジ部４３２−１ａ〜４３２−１ｃ，４３２−２ａ，４３２−２ｂ，４３２−３ａは、絶縁性の基板１０を介して、接地パターン４０に対向して設けられている。
【０１０４】
図１２は、図１０のブロック図の等価回路例である。
図１２に示すように、図１１Ａ〜図１１Ｃに示した小電極部４３０−１ａ〜４３０−１ｄ，４３０−２ａ〜４３０−２ｃ，４３０−３ａ，４３０−３ｂ，３０−４は、基板１０および接地パターン４０とともに、容量素子を形成している。容量素子Ｃ１ａ〜Ｃ１ｄは、接地パターン４０および接地パターン４０に対向して配置された小電極部４３０−１ａ〜４３０−１ｄに対応する。容量素子Ｃ１ａ〜Ｃ１ｄは、ブリッジ部Ｂ１によって発光素子ＬＥＤおよび電流源回路Ｉ０を接続する配線に選択的に接続されることができる。容量素子Ｃ１ａ〜Ｃ１ｄは、小ブリッジ部Ｂ１ａ〜Ｂ１ｃによって、並列に選択的に接続されることができる。
【０１０５】
容量素子Ｃ２ａ〜Ｃ２ｃは、接地パターン４０および接地パターン４０に対向して配置された小電極部４３０−２ａ〜４３０−２ｃに対応する。容量素子Ｃ２ａ〜Ｃ２ｃは、ブリッジ部Ｂ２によって発光素子ＬＥＤおよび電流源回路Ｉ０を接続する配線に選択的に接続されることができる。容量素子Ｃ２ａ〜Ｃ２ｃ、小ブリッジ部Ｂ２ａ，Ｂ２ｂによって、並列に選択的に接続されることができる。
【０１０６】
容量素子Ｃ３ａ，Ｃ３ｂは、接地パターン４０および接地パターン４０に対向して配置された小電極部４３０−３ａ，４３０−３ｂに対応する。容量素子Ｃ３ａ，Ｃ３ｂは、ブリッジ部Ｂ３によって発光素子ＬＥＤおよび電流源回路Ｉ０を接続する配線に選択的に接続されることができる。容量素子Ｃ３ａ，Ｃ３ｂは、小ブリッジ部Ｂ３ａによって、並列に選択的に接続されることができる。
【０１０７】
容量素子Ｃ４は、接地パターン４０および接地パターン４０に対向して配置された電極部３０−４に対応する。容量素子Ｃ４は、ブリッジ部Ｂ４によって発光素子ＬＥＤおよび電流源回路Ｉ０を接続する配線に選択的に接続されることができる。
【０１０８】
このように、本実施形態では、電極部４３０−１〜４３０−３は、複数の小電極部をそれぞれ含み、電極部は小電極部を含んでいる。電極部ごとに設けられた小ブリッジ部によって、小電極部同士は、選択的に接続するかどうかを決定することができる。本実施形態では、電極部ごとに小電極部の面積を変えているので、配線１０３に接続される静電容量値を、よりきめ細かく設定することができる。
【０１０９】
小電極部の面積および形状は、それぞれの電極部において同一である場合に限らず、静電容量値の設定精度等に応じて、適切な面積および形状のものを任意に設定するようにしてもよい。
【０１１０】
（第５の実施形態）
図１３Ａは、本実施形態に係る発光モジュールの一部を例示する模式的なブロック図である。図１３Ｂは、図１３Ａのブロック図の一部を拡大して例示する模式図である。
図１３Ａに示すように、電極部５３０−１，５３０−２，５３０−３は、配線１０３に隣接して設けられている。配線１０３には、ブリッジ部３２を介して、電極部５３０−２が選択的に接続されている。電極部５３０−２には、電極部５３０−１が隣接して設けられている。また、電極部５３０−２には、電極部５３０−３が隣接して設けられている。つまり、電極部５３０−２は、電極部５３０−１，５３０−３の間に設けられている。
【０１１１】
すべての電極部５３０−１〜５３０−３は、図１に示した基板１０の一方の面に設けられており、基板１０の基材を介して、接地パターン４０に対向して設けられている。
【０１１２】
図１３Ｂに示すように、電極部５３０−１は、小電極部５３０−１ａ，５３０−１ｂ，５３０−１ｃと、小ブリッジ部５３２−１ａ，５３２−１ｂと、を含む。小ブリッジ部５３２−１ａは、小電極部５３０−１ａ，５３０−１ｂの間に設けられている。小電極部５３０−１ｂは、小ブリッジ部５３２−１ａを介して、選択可能に小電極部５３０−１ａに接続されている。小ブリッジ部５３２−１ｂは、小電極部５３０−１ｂ，５３０−１ｃの間に設けられている。小電極部５３０−１ｃは、小ブリッジ部５３２−１ｂを介して、選択可能に小電極部５３０−１ｂに接続されている。
【０１１３】
電極部（１つの第１電極部）５３０−２は、小電極部（複数の第１部分）５３０−２ａ，５３０−２ｂ，５３０−２ｃと、小ブリッジ部（第６ブリッジ部）５３２−２ａ，５３２−２ｂと、を含む。小ブリッジ部５３２−２ａは、小電極部５３０−２ａ，５３０−２ｂの間に設けられている。小電極部５３０−２ｂは、小ブリッジ部５３２−２ａを介して、選択可能に小電極部５３０−２ａに接続されている。小ブリッジ部５３２−２ｂは、小電極部５３０−２ｂ，５３０−２ｃの間に設けられている。小電極部５３０−２ｃは、小ブリッジ部５３２−２ｂを介して、選択可能に小電極部５３０−２ｂに接続されている。
【０１１４】
電極部５３０−３は、小電極部５３０−３ａ，５３０−３ｂ，５３０−３ｃと、小ブリッジ部５３２−３ａ，５３２−３ｂと、を含む。小ブリッジ部５３２−３ａは、小電極部５３０−３ａ，５３０−３ｂの間に設けられている。小電極部５３０−３ｂは、小ブリッジ部５３２−３ａを介して、選択可能に小電極部５３０−３ａに接続されている。小ブリッジ部５３２−３ｂは、小電極部５３０−３ｂ，５３０−３ｃの間に設けられている。小電極部５３０−３ｃは、小ブリッジ部５３２−３ｂを介して、選択可能に小電極部５３０−３ｂに接続されている。
【０１１５】
この例では、小電極部（第２部分）５３０−１ａと小電極部５３０−２ａとの間にも小ブリッジ部（第５ブリッジ部）５３２ａが設けられている。小電極部５３０−１ａは、小ブリッジ部５３２ａを介して、小電極部５３０−２ａに選択可能に接続されることができる。また、小電極部５３０−３ａと小電極部５３０−１ａとの間にも、小ブリッジ部５３２ｂが設けられている。小電極部５３０−３ａは、小ブリッジ部５３２ｂを介して、小電極部５３０−１ａに選択可能に接続されることができる。
【０１１６】
この例では、小電極部５３０−１ａ〜５３０−３ｃは、いずれも同じ形状を有する長方形の導体パターンである。小電極部の形状は、すべて同一である場合に限らず、一部あるいはすべて異なる形状としてもよい。また、小電極部の面積は、すべて同一であってもよいし、一部あるいはすべて異なっていてもよい。
【０１１７】
小ブリッジ部５３２−１ａ，５３２−１ｂ，５３２−２ａ，５３２−２ｂ，５３２−３ａ，５３２−３ｂは、たとえば小電極部５３０−１ａ〜５３０−１ｃ，５３０−２ａ〜５３０−２ｃ，５３０−３ａ〜５３０−３ｃ等と同時に形成される導体による配線パターンである。小ブリッジ部５３２−１ａ〜５３２−３ｂは、上述した他の実施形態の場合のブリッジ部３２−１〜３２−４と同様に、小電極部５３０−１ａ〜５３０−３ｃに対してくびれた形状や太さの細い形状とすることによって、レーザ加工機等による切断時に容易に切断できる形状とされている。小ブリッジ部５３２−１ａ〜５３２−３ｂの長さも、ブリッジ部３２−１〜３２−４と同様に、レーザ加工機等の切断時の精度等に応じて決定される。
【０１１８】
図１４は、図１３Ａのブロック図の等価回路例である。
図１４に示すように、小電極部は、基板１０および接地パターン４０とともに、容量素子を構成している。容量素子Ｃ５２ａ〜Ｃ５２ｃは、接地パターン４０および接地パターン４０に対向して配置された小電極部５３０−２ａ〜５３０−２ｃに対応する。容量素子Ｃ５２ａ〜Ｃ５２ｃは、ブリッジ部Ｂ５０によって発光素子ＬＥＤおよび電流源回路Ｉ０を接続する配線に選択的に接続されることができる。容量素子Ｃ５２ａ〜Ｃ５２ｃは、小ブリッジ部Ｂ５２ａ，Ｂ５２ｂによって、並列に選択的に接続されることができる。
【０１１９】
容量素子Ｃ５１ａ〜Ｃ５１ｃは、接地パターン４０および接地パターン４０に対向して配置された小電極部５３０−１ａ〜５３０−１ｃに対応する。容量素子Ｃ５１ａ〜Ｃ５１ｃは、小ブリッジ部Ｂ５０ａによって、小電極部５３０−２ａに対応する容量素子５２ａに選択的に並列接続されることができる。容量素子Ｃ５１ａ〜Ｃ５１ｃは、小ブリッジ部Ｂ５１ａ，Ｂ５１ｂによって、並列に選択的に接続されることができる。
【０１２０】
容量素子Ｃ５３ａ〜Ｃ５３ｃは、接地パターン４０および接地パターン４０に対向して配置された小電極部５３０−３ａ〜５３０−３ｃに対応する。容量素子Ｃ５３ａ〜Ｃ５３ｃは、小ブリッジ部Ｂ５０ｂによって、小電極部５３０−２ａに対応する容量素子５２ａに選択的に並列接続されることができる。容量素子Ｃ５３ａ〜Ｃ５３ｃは、小ブリッジ部Ｂ５３ａ，Ｂ５３ｂによって、並列に選択的に接続されることができる。
【０１２１】
本実施形態では、電極部５３０−１〜５３０−３ごとに、小電極部を選択的に接続し、切断することができるとともに、電極部５３０−１〜５３０−３の単位で、配線１０３に選択的に接続し、切断することができる。そのため、配線１０３に接続される小電極部の面積にもとづく静電容量値を、よりきめ細かく設定しつつ、電極部の面積にもとづく静電容量値の単位で調整することによって、より迅速に電流の立上り、立下り時間を調整することができる。
【０１２２】
本実施形態では、各電極部に含まれる小電極部の面積および形状は、上述の例に限らず、適切な面積および形状で任意に設定することができる。また、各電極部に含まれる小電極部の数も電極ごとに異ならせてもよいし、一部の電極部が異なる数の小電極部を含むようにしてもよい。
【０１２３】
第４および第５の実施形態において、小ブリッジ部４３２−１ａ〜４３２−３ａ，５３２−１ａ〜５３２−３ｂは、図６Ａ〜図７Ｃ等において説明したブリッジ部と同様の形態とすることができる。
【０１２４】
（第６の実施形態）
図１５Ａは、本実施形態の発光モジュールの一部を例示する模式的なブロック図である。
図１５Ｂは、図１５Ａの等価回路例である。
上述した他の実施形態では、各電極部を図１に示した基板１０の一方の面に設けており、たとえば、その面には、発光回路２０や駆動回路５０、およびこれらのための導体による配線パターンが設けられている。各電極部に対向して設けられた接地パターン４０は、基板１０の他方の面や基板１０の内層に設けられている。本実施形態では、各電極部３０−１〜３０−４は、基板１０の面のうち、発光回路２０等が設けられた面に対向する面に設けられている。各電極部３０−１〜３０−４に対向する配線パターンは、発光回路２０等が設けられた面に設けられる。
【０１２５】
図１５Ａに示すように、配線パターン（第１配線）６０３は、図１に示した基板１０の面のうち、発光素子２２および抵抗器６０を含む配線面に設けられている。配線パターン６０３は、この例では、基板１０の同一面上で、発光素子２２と抵抗器６０との間に設けられている。配線パターン６０３は、基板１０の基材を介して、電極部３０−１〜３０−４に対向するように、十分な面積を有する長方形状に成形された導体による配線パターンである。配線パターン６０３は、配線６０３ａを介して、発光素子２２に電気的に接続されている。配線パターン６０３は、配線６０３ｂを介して、抵抗器６０に電気的に接続されている。
【０１２６】
接地配線（第２配線）６４０は、基板１０の面のうち、発光素子２２等が設けられた配線面とは異なる面に設けられている。つまり、接地配線６４０は、配線パターン６０３に対向する面に設けられている。したがって、各電極部３０−１〜３０−４は、配線パターン６０３との間で静電容量を有する容量素子を形成している。
【０１２７】
電極部３０−１は、ブリッジ部３２−１を介して、接地配線６４０に選択的に接続されている。電極部３０−２は、ブリッジ部３２−２を介して、接地配線６４０に選択的に接続されている。電極部３０−３は、ブリッジ部３２−３を介して、接地配線６４０に選択的に接続されている。電極部３０−４は、ブリッジ部３２−４を介して、接地配線６４０に選択的に接続されている。この例では、電極部３０−１〜３０−３は、ブリッジ部３２−１〜３２−３を介して、接地パターンに電気的に接続されている。電極部３０−４は、ブリッジ部３２−４によって、接地配線６４０から切り離されており、接地配線６４０から絶縁されている。
【０１２８】
図１５Ｂに示すように、各電極部３０−１〜３０−４は、基板１０および配線パターン６０３とともに、容量素子Ｃ１〜Ｃ４を形成している。ブリッジ部Ｂ１〜Ｂ４は、接地パターン側に設けられている。上述の他の実施形態と同様に、容量素子Ｃ１〜Ｃ４は、ブリッジ部Ｂ１〜Ｂ４によって、接地配線６４０に選択的に接続されることができる。
【０１２９】
本実施形態では、基板の面のうち、各電極部３０−１〜３０−４を発光素子２２等が搭載された面とは異なる面に形成するので、基板１０の設計自由度を向上させることができる。
【０１３０】
以上説明した実施形態によれば、広い輝度調整範囲において、均一な輝度で発光する光源装置を実現することができる。
【０１３１】
また、上述の各実施形態において説明した発光モジュールは、バックライトモジュールとして使用することもできる。
【０１３２】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組合せて実施することができる。
【符号の説明】
【０１３３】
１  発光モジュール、１０  基板、１１〜１３  端子、２０  発光回路、２２  発光素子、３０，３０−１〜３０−４、３０ａ−１〜３０ａ−４  電極部、３２，３２−１〜３２−４，３２ａ，３２ｂ，３２ｃ  ブリッジ部、３４  間隙、４０  接地パターン、５０  駆動回路、５１  出力端子、５２  入力端子、５４  電流源回路、１００〜１０６，２０１  配線、２０２  ブリッジ部、４３０−１〜４３０−３，５３０−１〜５３０−３  電極部、４３０−１ａ〜４３０−ｂ，５３０−１ａ〜５３０−３ｃ  小電極部、４３２−１ａ〜４３２−３ａ，５３２ａ，５３２ｂ，５３２−１ａ〜５３２−３ｂ  小ブリッジ部、６０３  配線パターン、６４０  接地配線
【図１】
2020087921.tif 000003
【図２Ａ】
2020087921.tif 000004
【図２Ｂ】
2020087921.tif 000005
【図３】
2020087921.tif 000006
【図４】
2020087921.tif 000007
【図５Ａ】
2020087921.tif 000008
【図５Ｂ】
2020087921.tif 000009
【図５Ｃ】
2020087921.tif 000010
【図５Ｄ】
2020087921.tif 000011
【図６Ａ】
2020087921.tif 000012
【図６Ｂ】
2020087921.tif 000013
【図６Ｃ】
2020087921.tif 000014
【図７Ａ】
2020087921.tif 000015
【図７Ｂ】
2020087921.tif 000016
【図７Ｃ】
2020087921.tif 000017
【図８】
2020087921.tif 000018
【図９】
2020087921.tif 000019
【図１０】
2020087921.tif 000020
【図１１Ａ】
2020087921.tif 000021
【図１１Ｂ】
2020087921.tif 000022
【図１１Ｃ】
2020087921.tif 000023
【図１２】
2020087921.tif 000024
【図１３Ａ】
2020087921.tif 000025
【図１３Ｂ】
2020087921.tif 000026
【図１４】
2020087921.tif 000027
【図１５Ａ】
2020087921.tif 000028
【図１５Ｂ】
2020087921.tif 000029